(57)【要約】【課題】コンテンツを描画する表示画面の書き換えにかかる時間を考慮して消費電流量の低下を実現する表示処理装置を提供する。【解決手段】本発明に係る携帯通信装置１は、サブディスプレイ３において、設定された更新周期にてコンテンツを描画する表示画面の書き換えを行う。携帯通信装置１は、設定された更新周期の周期が大きくなるように変更する再生間隔切り替え部２３と、変更された更新周期にて表示画面の書き換えを行う描画更新部２６とを備える。【選択図】図１
2010266807.tif 000002
【特許請求の範囲】
【請求項１】
表示部において、設定された更新周期にてコンテンツを描画する表示画面の書き換えを行う表示処理装置であって、
上記更新周期の周期が大きくなるように変更する更新周期変更手段と、
上記更新周期変更手段によって変更された更新周期にて上記表示画面の書き換えを行う更新手段とを備えることを特徴とする表示処理装置。
【請求項２】
上記表示画面の書き換え開始時からの時間経過を測定する測定部と、
上記測定部の測定結果に基づき、上記表示画面の書き換え開始時から所定時間が経過したか否かを判定する判定手段と、
上記判定手段が上記所定時間を経過したと判定した場合、上記更新周期変更手段は、上記設定された更新周期を大きくするように変更することを特徴とする請求項１に記載の表示処理装置。
【請求項３】
上記更新手段による上記表示画面の書き換えにかかる処理時間を測定する処理時間測定手段と、
上記更新手段による上記表示画面の書き換えにかかる処理時間と、該書き換えに消費される消費電流量との対応関係を示す第１テーブルを参照して、上記処理時間測定手段によって測定された測定時間に基づき、上記更新手段による上記表示画面の書き換えにかかる消費電流量を求め、求めたこの消費電流量から、上記表示画面の書き換えを継続して行うコンテンツの再生期間における総消費電流量が所定の目標値の範囲内となるように、上記更新周期を決定する更新周期決定手段とをさらに備え、
上記更新周期変更手段は、上記更新周期決定手段によって決定された上記更新周期に変更することを特徴とする請求項１または２に記載の表示処理装置。
【請求項４】
上記更新手段による上記表示画面の書き換えにかかる処理時間を測定する処理時間測定手段と、
当該表示処理装置に電力を供給する電源部における電源容量の残量を測定する残量測定手段と、
上記電源部における電源容量の残量と、上記表示画面の書き換えを継続して行うコンテンツの再生期間において消費可能な総消費電流量を示す目標値との対応関係を示す第２テーブルを参照して、上記残量測定手段によって測定した残量に応じた目標値を求める目標値設定手段と、
上記更新手段による上記表示画面の書き換えにかかる処理時間と、該書き換えに消費される消費電流量との対応関係を示す第１テーブルを参照して、上記処理時間測定手段によって測定された測定時間に基づき、上記更新手段による上記表示画面の書き換えにかかる消費電流量を求め、求めたこの消費電流量から、上記再生期間における総消費電流量が、目標値設定手段によって設定された目標値の範囲内となるように、上記更新周期を決定する更新周期決定手段とをさらに備え、
上記更新周期変更手段は、上記更新周期決定手段によって決定された上記更新周期に変更することを特徴とする請求項１または２に記載の表示処理装置。
【請求項５】
上記表示部には、上記表示画面として、第１コンテンツを描画する第１表示画面と、第１コンテンツとは異なる第２コンテンツを描画する第２表示画面とが設定されており、
上記更新周期決定手段は、上記第１表示画面および上記第２表示画面について更新周期を決定しており、
上記更新周期決定手段によって決定された上記第１表示画面および第２表示画面それぞれに対する更新周期に応じて、次回の書き換え対象とする表示画面を決定する書き換え対象決定手段をさらに備えることを特徴とする請求項３または４に記載の表示処理装置。
【請求項６】
表示部において、設定された更新周期にてコンテンツを描画する表示画面の書き換えを行う表示処理装置の制御方法であって、
上記更新周期の周期が大きくなるように変更する更新周期変更ステップと、
上記更新周期変更ステップにおいて変更された更新周期にて上記表示画面の書き換えを行う更新ステップとを含むことを特徴とする表示処理装置の制御方法。
【請求項７】
コンピュータを請求項１から５のいずれか１項に記載の表示処理装置の各手段として機能させるための表示処理装置の制御プログラム。
【請求項８】
請求項７に記載の表示処理装置の制御プログラムを記録したコンピュータ読み取り可能な記録媒体。
【発明の詳細な説明】
【技術分野】
【０００１】
本発明は、表示部において、設定された更新周期にてコンテンツを描画する表示画面の書き換えを行う表示処理装置に関する。
【背景技術】
【０００２】
近年、携帯電話等の端末装置においてメインディスプレイに加え、サブディスプレイを備えた装置が開発されている。例えば、クラムシェル型携帯電話と呼ばれる折りたたみ式の携帯電話では、メインディスプレイの背面側にサブディスプレイを設け、このサブディスプレイにおいて着信の有無、時間等の情報を表示できるようになっている。
【０００３】
ところで、ディスプレイを複数備える構成は、ディスプレイが１つのときの構成よりも、一般的には消費電流量が大きくなる。特に、サブディスプレイにおいて常時画像を表示する構成の場合、表示する画像を描画するために大きな電流量が必要となる。このような消費電流量の増大は、特に、携帯電話機のように消費可能な電力量の制約が厳しい装置において深刻な問題となる。このため、ディスプレイにおいて、画像の描画に必要な電流量を低下させる技術が開発されている（例えば、特許文献１）。
【０００４】
特許文献１では、電気光学装置の信号ラインを画像データに基づいて駆動する信号駆動回路において、複数の信号ラインごとに分割されたブロックごとに動作停止制御することができる構成が開示されている。このため、駆動させる必要のない信号ラインのブロックに対する駆動電圧生成動作を個別に停止させることができるため消費電流量の低下を図ることができる。
【先行技術文献】
【特許文献】
【０００５】
【特許文献１】特開２００２−３５１４１３（２００２年１２月６日公開）
【発明の概要】
【発明が解決しようとする課題】
【０００６】
しかしながら、上述のような従来技術は、コンテンツの再生時間を考慮して消費電流量の低下を実現することができないという問題がある。
【０００７】
再生するコンテンツが例えば、アニメーション等の場合、該コンテンツを描画する表示画面の書き換えにかかる処理時間に応じて装置における消費電流量の大小が決定される。ところで、特許文献１のように、駆動させる必要がない信号ラインのブロックの動作停止制御を行う構成では、ディスプレイにおける全表示領域の一部分の領域でコンテンツを再生する場合では、消費電流量の低下を実現できるが、全表示領域でコンテンツを再生させる場合には消費電流量の低下を実現することができない。
【０００８】
さらに、コンテンツを描画する表示画面の書き換えにかかる時間の大小によって、消費電流量の大小が決まる。しかしながら、特許文献１の構成では、このような表示画面に対する書き換えにかかる時間のばらつきを考慮して消費電流量の低下を実現することができない。つまり、描画するコンテンツごとに異なる消費電流量を考慮し、コンテンツの再生にかかる消費電流量が一定となるように、消費電流量を低下させることができない。
【０００９】
本発明は、上記の問題点に鑑みてなされたものであり、その目的は、コンテンツを描画する表示画面の書き換えにかかる時間を考慮して消費電流量の低下を実現することができる表示処理装置、表示処理装置の制御方法を実現することにある。
【課題を解決するための手段】
【００１０】
本発明に係る表示処理処置は、上記した課題を解決するために、表示部において、設定された更新周期にてコンテンツを描画する表示画面の書き換えを行う表示処理装置であって、上記更新周期の周期が大きくなるように変更する更新周期変更手段と、上記更新周期変更手段によって変更された更新周期にて上記表示画面の書き換えを行う更新手段とを備えることを特徴とする。
【００１１】
ここで、コンテンツとは、映像または画像など、表示部において表示される情報であって、例えば、グラフィックス、アニメーションなどが挙げられる。
【００１２】
上記した構成によると、上記更新周期変更手段および更新手段を備えるため、コンテンツを描画する表示画面の更新周期を大きくして、該表示画面の書き換えを行うことができる。このように表示画面の更新周期を大きくすると、コンテンツを連続して再生する再生期間において、当該表示処理装置が上記表示画面の書き換えに費やす総時間を小さくすることができる。
【００１３】
ところで、表示画面の書き換えに費やす総時間が大きくなればなるほど、該表示画面の書き換えに要する消費電流量が大きくなる。
【００１４】
本発明に係る表示処理装置は、上述のように、上記表示画面の更新周期を大きくすることができるため、コンテンツの再生期間において、上記表示画面の書き換えに必要となる消費電流量を低減させることができる。
【００１５】
したがって、本発明に係る表示処理装置は、コンテンツを描画する表示画面の書き換えにかかる時間を考慮して消費電流量の低下を実現することができるという効果を奏する。
【００１６】
また、本発明に係る表示処理装置は、上記した構成において、上記表示画面の書き換え開始時からの時間経過を測定する測定部と、上記測定部の測定結果に基づき、上記表示画面の書き換え開始時から所定時間が経過したか否かを判定する判定手段と、上記判定手段が上記所定時間を経過したと判定した場合、上記更新周期変更手段は、上記設定された更新周期を大きくするように変更するように構成されていてもよい。
【００１７】
上記した構成によると、上記測定部および上記判定手段を備えているため、書き換え開始時から所定時間が経過したか否か確認することができる。また、上記所定時間を経過した場合、更新変更手段が設定された更新周期が大きくなるように変更することができる。
【００１８】
このため、所定時間を経過する前までは、予め設定された更新周期により表示画面が書き換えられる。つまり、表示画面の書き換え開始時から所定時間経過するまでは、初期設定された更新周期で表示画面を書き換え、コンテンツの再生を行うことができる。一方、所定時間の経過後では、変更後の更新周期で表示画面を書き換え、コンテンツの再生を行うことができる。
【００１９】
このため、表示画面の書き換え開始時から所定時間経過するまでは、コンテンツ作成者の意図に沿った更新周期でコンテンツの再生を行うことができ、そのコンテンツの再生内容を視聴者は確認することができる。その一方で、所定時間経過後では、更新周期が大きくなるように変更することができるため、上記表示画面の書き換えを継続して行うコンテンツの再生期間において、該表示画面の書き換えに必要となる消費電流量を低減させることができる。
【００２０】
また、本発明に係る表示処理装置は、上記した構成において、上記更新手段による上記表示画面の書き換えにかかる処理時間を測定する処理時間測定手段と、上記更新手段による上記表示画面の書き換えにかかる処理時間と、該書き換えに消費される消費電流量との対応関係を示す第１テーブルを参照して、上記処理時間測定手段によって測定された測定時間に基づき、上記更新手段による上記表示画面の書き換えにかかる消費電流量を求め、求めたこの消費電流量から、上記表示画面の書き換えを継続して行うコンテンツの再生期間における総消費電流量が所定の目標値の範囲内となるように、上記更新周期を決定する更新周期決定手段とをさらに備え、上記更新周期変更手段は、上記更新周期決定手段によって決定された上記更新周期に変更するように構成されていてもよい。
【００２１】
上記した構成によると、処理時間測定手段によって測定された測定時間と、上記第１テーブルとに基づき、１回の書き換えに消費される消費電流量を求めることができる。また、更新周期決定手段を備えているため、コンテンツの再生期間における総消費電流量が所定の目標値の範囲内となるように、この書き換えに消費される消費電流量から更新周期を決定することができる。そして、決定したこの更新周期にて上記表示画面の書き換えを行うように、更新周期変更手段が更新周期を変更させることができる。
【００２２】
したがって、本発明に係る表示処理装置は、コンテンツの再生期間における総消費電流量が所定の目標値の範囲内となるように、表示画面に対する書き換えの更新周期を変更することができる。このため、上記コンテンツの再生期間における、表示画面の書き換えに必要となる総消費電流量を、上記目標値の範囲内となるように低減させることができる。
【００２３】
それゆえ、本発明に係る表示処理装置は、描画するコンテンツごとに異なる表示画面の書き換えにかかる時間をそれぞれ考慮して消費電流量が目標値となるように低下させることができる。
【００２４】
本発明に係る表示処理装置は、上記した構成において、上記更新手段による上記表示画面の書き換えにかかる処理時間を測定する処理時間測定手段と、当該表示処理装置に電力を供給する電源部における電源容量の残量を測定する残量測定手段と、上記電源部における電源容量の残量と、上記表示画面の書き換えを継続して行うコンテンツの再生期間において消費可能な総消費電流量を示す目標値との対応関係を示す第２テーブルを参照して、上記残量測定手段によって測定した残量に応じた目標値を求める目標値設定手段と、上記更新手段による上記表示画面の書き換えにかかる処理時間と、該書き換えに消費される消費電流量との対応関係を示す第１テーブルを参照して、上記処理時間測定手段によって測定された測定時間に基づき、上記更新手段による上記表示画面の書き換えにかかる消費電流量を求め、求めたこの消費電流量から、上記再生期間における総消費電流量が、目標値設定手段によって設定された目標値の範囲内となるように、上記更新周期を決定する更新周期決定手段とをさらに備え、上記更新周期変更手段は、上記更新周期決定手段によって決定された上記更新周期に変更するように構成されていてもよい。
【００２５】
上記した構成によると、残量測定手段および目標値設定手段を備えているため、電源部における電源容量の残量に応じた上記目標値を求めることができる。また、処理時間測定手段によって測定された測定時間と、第１テーブルとに基づき、１回の書き換えに消費される消費電流量を求めることができる。さらに、更新周期決定手段を備えているため、コンテンツの再生期間における総消費電流量が、上記電源容量の残量に応じた目標値の範囲内となるように、この書き換えに消費される消費電流量から更新周期を決定することができる。そして、決定したこの更新周期にて上記表示画面の書き換えを行うように、更新周期変更手段が更新周期を変更させることができる。
【００２６】
したがって、本発明に係る表示処理装置は、コンテンツの再生期間における総消費電流量が電源容量の残量に応じた目標値の範囲内となるように、表示画面に対する書き換えの更新周期を変更することができる。このため、上記コンテンツの再生期間における、表示画面の書き換えに必要となる総消費電流量を、上記目標値の範囲内となるように低減させることができる。
【００２７】
それゆえ、本発明に係る表示処理装置は、電源容量の残量と描画するコンテンツごとに異なる表示画面の書き換えにかかる時間とをそれぞれ考慮して消費電流量を低下させるように調整することができる。
【００２８】
本発明に係る表示処理装置は、上記した構成において、上記表示部には、上記表示画面として、第１コンテンツを描画する第１表示画面と、第１コンテンツとは異なる第２コンテンツを描画する第２表示画面とが設定されており、上記更新周期決定手段は、上記第１表示画面および第２表示画面について更新周期を決定しており、上記更新周期決定手段によって決定された上記第１表示画面および上記第２表示画面それぞれに対する更新周期に応じて、次回の書き換え対象とする表示画面を決定する書き換え対象決定手段をさらに備えるように構成されていてもよい。
【００２９】
上記構成によると、書き換え対象決定手段を備えているため、第１表示画面および第２表示画面が存在する場合であっても、次回の書き換え対象を第１表示画面または第２表示画面、あるいは第１表示画面および第２表示画面の両方とするか決定することができる。
【００３０】
したがって、この書き換え対象決定手段によって次回の書き換え対象とする表示画面を決定し指定することがでるため、表示部において第１表示画面および第２表示画面に対する書き換えを消費電流量が目標値となるように適切に行うことができる。
【００３１】
本発明に係る表示処理装置の制御方法は、上記した課題を解決するために、表示部において、設定された更新周期にてコンテンツを描画する表示画面の書き換えを行う表示処理装置の制御方法であって、上記更新周期の周期が大きくなるように変更する更新周期変更ステップと、上記更新周期変更ステップにおいて変更された更新周期にて上記表示画面の書き換えを行う更新ステップとを含むことを特徴とする。
【００３２】
上記方法によると、上記更新周期変更ステップおよび更新ステップを含むため、コンテンツを描画する表示画面の更新周期を大きくして、該表示画面の書き換えを行うことができる。このように表示画面の更新周期を大きくすると、コンテンツを連続して再生する再生期間において、当該表示処理装置が上記表示画面の書き換えに費やす総時間を小さくすることができる。
【００３３】
ところで、表示画面の書き換えに費やす総時間が大きくなればなるほど、該表示画面の書き換えに要する消費電流量が大きくなる。
【００３４】
本発明に係る表示処理装置の制御方法は、上述のように、上記表示画面の更新周期を大きくすることができるため、コンテンツの再生期間において、上記表示画面の書き換えに必要となる消費電流量を低減させることができる。
【００３５】
したがって、本発明に係る表示処理装置の制御方法は、コンテンツを描画する表示画面の書き換えにかかる時間を考慮して消費電流量の低下を実現することができるという効果を奏する。
【００３６】
なお、上記表示処理装置は、コンピュータによって実現してもよく、この場合には、コンピュータを上記各手段として動作させることにより上記表示処理装置をコンピュータにて実現させる表示処理装置の制御プログラム、およびそれを記録したコンピュータ読み取り可能な記録媒体も、本発明の範疇に入る。
【発明の効果】
【００３７】
本発明に係る表示処理処置は、以上のように、表示部において、設定された更新周期にてコンテンツを描画する表示画面の書き換えを行う表示処理装置であって、上記更新周期の周期が大きくなるように変更する更新周期変更手段と、上記更新周期変更手段によって変更された更新周期にて上記表示画面の書き換えを行う更新手段とを備えることを特徴とする。
【００３８】
したがって、本発明に係る表示処理装置は、コンテンツを描画する表示画面の書き換えにかかる時間を考慮して消費電流量の低下を実現することができるという効果を奏する。
【００３９】
本発明に係る表示処理装置の制御方法は、以上のように、表示部において、設定された更新周期にてコンテンツを描画する表示画面の書き換えを行う表示処理装置の制御方法であって、上記更新周期の周期が大きくなるように変更する更新周期変更ステップと、上記更新周期変更ステップにおいて変更された更新周期にて上記表示画面の書き換えを行う更新ステップとを含むことを特徴とする。
【００４０】
したがって、本発明に係る表示処理装置の制御方法は、コンテンツを描画する表示画面の書き換えにかかる時間を考慮して消費電流量の低下を実現することができるという効果を奏する。
【図面の簡単な説明】
【００４１】
【図１】本発明の実施形態を示すものであり、周期変更処理にかかる携帯通信装置の構成を示す機能ブロック図である。
【図２】本発明の実施形態を示すものであり、携帯通信装置の外観形状の一例を示す斜視図である。
【図３】本発明の実施形態を示すものであり、携帯通信装置の外観形状の一例を示す斜視図である。
【図４】本発明の実施形態を示すものであり、携帯通信装置の要部構成を示すブロック図である。
【図５】本発明の実施形態を示すものであり、携帯通信装置における周期変更処理の処理フローの一例を示すフローチャートである。
【図６】本発明の実施形態を示すものであり、携帯通信装置における周期変更処理の処理フローにおける描画更新処理１を示すフローチャートである。
【図７】本発明の実施形態を示すものであり、サブディスプレイ上に、複数の表示画面が設定されている構成の一例を示す図である。
【図８】本発明の他の実施形態を示すものであり、周期変更処理にかかる携帯通信装置の構成を示す機能ブロック図である。
【図９】本発明の他の実施形態を示すものであり、縦軸を更新処理にかかる時間、横軸にコンテンツの連続再生時間とし、全画面に対する更新処理の更新処理時間、一部分の表示画面に対する更新処理にかかる時間をそれぞれ棒グラフで示した図である。
【図１０】本発明の他の実施形態を示すものであり、縦軸を更新処理にかかる時間、横軸にコンテンツの連続再生時間とし、全画面に対する更新処理の更新処理時間、一部分の表示画面に対する更新処理にかかる時間をそれぞれ棒グラフで示した図である。
【図１１】本発明の他の実施形態に係る携帯通信装置における周期変更処理の処理フローの一例を示すフローチャートである。
【図１２】本発明の他の実施形態を示すものであり、携帯通信装置における周期変更処理の処理フローにおける描画更新処理２を示すフローチャートである。
【図１３】本発明の他の実施形態を示すものであり、周期変更処理にかかる携帯通信装置の構成を示す機能ブロック図である。
【図１４】本発明の他の実施形態に係る携帯通信装置における周期変更処理の処理フローの一例を示すフローチャートである。
【図１５】本発明の他の実施形態を示すものであり、描画更新処理３の処理フローの一例を示すフローチャートである。
【発明を実施するための形態】
【００４２】
（実施形態１）
本発明の一実施形態について、図１から図７に基づいて説明すると以下の通りである。まず、図２および図３を参照して携帯通信装置１の外観形状について説明する。図２および図３は、本発明の実施形態１を示すものであり、携帯通信装置１の外観形状の一例を示す斜視図である。
【００４３】
本実施の形態に係る携帯通信装置（表示処理装置）１は、不図示の基地局を介して他の携帯通信装置との間で通信を確立し通話を行ったり（通話機能）、電子メールの送受信を行ったり（メール機能）することができる、いわゆるクラムシェル型の携帯電話機である。この携帯通信装置１は、これらの通話機能およびメール機能に加えて、デジタル放送信号を受信し、該デジタル放送信号に基づきメインディスプレイにテレビ番組を表示することができるようにもなっている。
【００４４】
また、携帯通信装置１は、図２に示すように、本体部１０２と、蓋部１００と、本体部１０２と蓋部１００とを接合するヒンジ部１０１とを備えてなる構成である。
【００４５】
蓋部１００は、図２および図３に示すように、メインディスプレイ２と該メインディスプレイ２の背面側の面にサブディスプレイ（表示部）３を備えている。本実施の形態に係る携帯通信装置１では、上記背面側の面は、図２の状態から蓋部１００を本体部１０２に向かって折り曲げたとき、蓋部１００における本体部１０２と接する側の面とは反対側の面となる。
【００４６】
本体部１０２には、携帯通信装置１に対するユーザからの各種入力を受け付ける入力部５が設けられている。入力部５は、例えば、テンキー、十字キー、操作ボタン、あるいはタッチパネル等によって実現できる。
【００４７】
次に、図４を参照して、携帯通信装置１が備える要部構成を説明する。図４は本発明の実施形態１を示す図であり、携帯通信装置１の要部構成を示すブロック図である。図４に示すように、携帯通信装置１は、上述したメインディスプレイ２、サブディスプレイ３、入力部５に加えて、主電源（電源部）４、携帯通信装置制御部６、記憶装置７、およびタイマ（測定部）８を備えてなる構成である。
【００４８】
主電源４は、携帯通信装置１に電力を供給するものであり、例えば、リチウムイオン２次電池等によって実現できる。
【００４９】
記憶装置７は、読み書き可能な記録媒体であり、フラッシュメモリ等によって実現できる。記憶装置７には、例えばサブディスプレイ３にて表示するコンテンツのデータ、携帯通信装置１にて実行するプログラムのデータ等が格納されている。
【００５０】
タイマ８は、現在時刻を計測したり、あるイベントの発生からの経過時間を計測したりするものである。また、タイマ８は、現在の日付も記録している。
【００５１】
携帯通信装置制御部６は携帯通信装置１の各種制御を行うものであり、表示制御部６１、電源制御部６２、入力制御部６３、および主制御部６４を備えてなる構成である。表示制御部６１は、主制御部６４からの制御指示に応じて、メインディスプレイ２またはサブディスプレイ３に対する表示制御を行うものである。
【００５２】
また、本実施の形態に係る携帯通信装置１では、蓋部１００を本体部１０２に対して折り曲げ、両者が重ねあわさった状態になると、表示制御部６１は、以下のようにしてサブディスプレイ３において特定のコンテンツを再生するように制御する。すなわち、蓋部１００と本体部１０２とが重なり合った状態になると、その状態を不図示のセンサが検知し、その検知結果を主制御部６４に入力する。主制御部６４は、センサから入力された検知結果に応じて、タイマ８によって記録されている日付に応じたコンテンツを記憶装置７から読み出す。そして、サブディスプレイ３において、読み出したコンテンツを再生させるように表示制御部６１に指示する。
【００５３】
なお、上記コンテンツは、例えば、アドビ社のＦｌａｓｈ（フラッシュ）を利用して作成することができるアニメーション等である。また、上記コンテンツには、該コンテンツを描画する表示画面の更新周期を規定するために設定したフレームレートに関する情報も含まれている。例えば、フレームレートが３０ｆｐｓ(frame per second)に設定されている場合、そのコンテンツを描画する表示画面では１秒間に３０回の書き換えが行われることになる。
【００５４】
携帯通信装置１では、サブディスプレイ３において、特定のコンテンツを一定期間、連続再生するように構成されている。例えば、一連のアニメーションとして完結するコンテンツが一定期間に達するまで再生される。なお、本実施形態ではこの一定期間を基準時間（Ｔ）と称する。
【００５５】
電源制御部６２は、主制御部６４からの制御指示に応じて、主電源４からの電力供給を制御するものである。
【００５６】
入力制御部６３は、入力部５を介して入力されたユーザからの指示を受け付けるためのインターフェースを司るものであり、受け付けた指示内容を主制御部６４に送信する。
【００５７】
主制御部６４は、本実施の形態に係る携帯通信装置１が備える各部材に対する各種制御を行うものであり、例えば、ＣＰＵ（Central Processing Unit）によって実現できる。
【００５８】
ところで、携帯通信装置１における消費電流量の大小は、サブディスプレイ３における表示画面の書き換え処理にかかる時間に大きく影響される。例えば、コンテンツがＦｌａｓｈによって作成されている場合、Ｆｌａｓｈエンジンによってコンテンツの描画を行うが、このＦｌａｓｈエンジンを実行させるために必要なＣＰＵの演算処理に多くの電流量が消費される。このため、書き換え処理にかかる時間が大きいコンテンツほどより多くの電流量が必要となる。
【００５９】
そこで、上記した構成を有する携帯通信装置１では、コンテンツの再生に伴い消費される電流量を低下させるように、フレームレートの設定を変更する。すなわち、サブディスプレイ３においてコンテンツを描画する表示画面の更新周期を、その周期が大きくなるように変更する。そして、携帯通信装置１では、１回の更新処理にかかる時間の、１分間あたりの平均値を低減させることができるようになっている。以下において、この更新周期の変更に係る処理、すなわち周期変更処理について説明する。
【００６０】
（周期変更処理に係る構成）
本実施の形態に係る周期変更処理について図１、図５、および図６を参照して詳細に説明する。まず、周期変更処理にかかる携帯通信装置１の構成について図１を参照して説明する。図１は、本発明の実施形態１を示すものであり、周期変更処理にかかる携帯通信装置１の構成を示す機能ブロック図である。
【００６１】
図１に示すように、本実施の形態に係る携帯通信装置１は、周期変更処理に係る機能ブロックとして、時刻生成部２１、再生時間判定部（判定手段）２２、再生間隔切り替え部（更新周期変更手段）２３、再生間隔決定部２４、再生要求部２５、および描画更新部（更新手段）２６を備えてなる構成である。なお、描画更新部２６と表示制御部６１とによって本発明の更新手段を実現する。
【００６２】
時刻生成部２１は、タイマ８に指示して、現時点での時刻に関する情報（時刻情報）を逐次取得するものである。時刻生成部２１は、取得した時刻情報を再生時間判定部２２および再生間隔決定部２４に出力する。
【００６３】
再生時間判定部２２は、コンテンツを描画する表示画面の更新周期の変更を行うタイミングを決定するものである。すなわち、携帯通信装置１では、蓋部１００と本体部１０２とが重なりあった状態になってから所定期間（本実施形態では５秒間）は、１００ミリ秒に１回の更新周期で表示画面の書き換えが行われる。しかしながら、所定期間（５秒間）を経過すると、それ以後は更新周期が１分に１回となるように構成されている。そこで、再生時間判定部２２は、時刻生成部２１から受信した時刻情報に基づき、上記所定期間を経過したか否か判定する。そして、再生時間判定部２２は、上記所定期間を経過したと判定した場合、その旨を示す通知を再生間隔切り替え部２３に対して行う。
【００６４】
再生間隔切り替え部２３は、再生時間判定部２２から受信した通知に応じて、コンテンツを描画する表示画面に対する更新周期を変更させるものである。本実施形態では、上記したように、所定期間内では表示画面の更新周期は１００ミリ秒に１回となるように設定されている。すなわち、上記所定期間内では、サブディスプレイ３に描画されるコンテンツは、１００ミリ秒に１コマ書き換えられる。しかしながら、上記所定期間を経過すると、再生間隔切り替え部２３は、設定されているフレームレートを変更して、コンテンツを描画する表示画面の更新周期を１分に１回となるように設定する。
【００６５】
すなわち、再生間隔切り替え部２３は、上記所定期間内では１００ミリ秒に１回、所定期間経過後では１分に１回の更新周期で、表示画面を書き換えるように再生要求部２５に指示する。また、再生間隔切り替え部２３は、再生間隔決定部２４に対して、所定期間内では１００ミリ秒ごとの時間間隔、所定期間経過後では１分間ごとの時間間隔を測定するようにも指示している。この再生間隔切り替え部２３からの指示に応じて、再生間隔決定部２４が時刻生成部２１から受信した時刻情報に基づき、所定期間内では１００ミリ秒ごととなる時間間隔、所定期間経過後では１分間ごととなる時間間隔を測定する。そして、この測定した時間間隔で再生間隔切り替え部２３に対し通知を行う。
【００６６】
再生間隔切り替え部２３は、再生間隔決定部２４から受信した上記通知に同期させ、上記所定期間内では１００ミリ秒に１回、所定期間経過後では１分に１回の更新周期で再生要求部２５に更新処理の要求を行う。
【００６７】
再生要求部２５は、再生間隔切り替え部２３からの更新処理の要求に応じて、描画更新部２６に対して、コンテンツが描画される表示画面の書き換えを指示するものである。再生要求部２５は、再生間隔切り替え部２３から１００ミリ秒に１回の更新周期により更新処理が要求されると、表示画面を更新するように描画更新部２６に対して１００ミリ秒に１回の時間間隔で指示する。一方、再生要求部２５は、再生間隔切り替え部２３から１分に１回の更新周期により更新処理が要求されると、表示画面を更新するように描画更新部２６に対して１分に１回の時間間隔で指示する。
【００６８】
描画更新部２６は、再生要求部２５からの更新指示に応じてサブディスプレイ３の表示画面を更新するよう表示制御部６１を制御するものである。描画更新部２６は、コンテンツがＦｌａｓｈによって作成されている場合、Ｆｌａｓｈエンジンと呼ばれる描画生成ソフトによって実現できる。
【００６９】
（周期変更処理の処理フロー）
次に、図５を参照して上記した構成を有する携帯通信装置１における周期変更処理に係る処理フローについて説明する。図５は本発明の実施形態１を示すものであり、携帯通信装置１における周期変更処理の処理フローの一例を示すフローチャートである。
【００７０】
まず、携帯通信装置１における蓋部１００が本体部１０２に向かって折りたたまれ、蓋部１００と本体部１０２とが重なり合った状態になると、サブディスプレイ３において所定のコンテンツの再生が開始される（ステップＳ１１、これ以降、Ｓ１１のように称する）。すなわち、サブディスプレイ３において、コンテンツを描画する表示画面に対する書き換えが指示される。
【００７１】
コンテンツの再生が開始されると、時刻生成部２１がタイマ８から時刻情報を取得する（Ｓ１２）。すなわち、時刻生成部２１は、コンテンツ再生開始時点を計測開始時刻として時刻情報をタイマ８から逐次取得する。そして、時刻生成部２１は、時刻情報を取得するたびに再生時間判定部２２および再生間隔決定部２４に送信する。
【００７２】
再生時間判定部２２は、時刻生成部２１から受信した時刻情報に基づき、コンテンツの再生開始から所定時間（本実施例では５秒間）経過しているか判断する（Ｓ１３）。ここで、再生時間判定部２２が所定時間経過していないと判断した場合（Ｓ１３において「ＮＯ」）、再生間隔切り替え部２３は、コンテンツにおいて設定されているフレームレート（本実施形態では１００ミリ秒に１回の更新周期）で表示画面の更新を行うように決定する。さらに、再生間隔決定部２４に対して１００ミリ秒ごとの時間間隔を測定するように指示する。この指示に応じて、再生間隔決定部２４は、時刻生成部２１から受信した時刻情報に基づき、１００ミリ秒ごとの時間間隔を測定し、その測定した時間間隔で再生間隔切り替え部２３に対する通知を行う。再生間隔切り替え部２３は、再生間隔決定部２４による、測定された時間間隔での通知を受信すると、この通知に同期して、再生要求部２５に１００ミリ秒に１回の周期で表示画面の更新を行うように要求する。
【００７３】
再生要求部２５は、１００ミリ秒間経過するまでは（Ｓ１５において「ＮＯ」）、ステップＳ１２、１３、１５までの処理を繰り返し、１００ミリ秒間経過すると（Ｓ１５において「ＹＥＳ」）、コンテンツを描画する表示画面の更新を描画更新部２６に指示する。
【００７４】
再生要求部２５からの指示に応じて、描画更新部２６は、コンテンツの描画更新処理１を行う（Ｓ１６）。
【００７５】
一方、ステップＳ１３において「ＹＥＳ」の場合、すなわち、コンテンツの再生開始から所定時間経過している場合、再生間隔切り替え部２３は、コンテンツにおいて設定されているフレームレート（本実施形態では１分に１回の更新周期）で表示画面の更新を行うように決定する。そして、再生間隔決定部２４に１分ごとの時間間隔を測定するように指示する。この指示に応じて、再生間隔決定部２４は、時刻生成部２１から受信した時刻情報に基づき、１分ごとの時間間隔を測定し、その測定した時間間隔ごとに、再生間隔切り替え部２３に通知する。再生間隔切り替え部２３は、再生間隔決定部２４から測定された時間間隔（１分）ごとに通知を受信すると、１分に１回の更新周期で、再生要求部２５に対して表示画面の更新を要求する。
【００７６】
再生要求部２５は、１分間経過するまでは（Ｓ１４において「ＮＯ」）、ステップＳ１２、１３、１４までの処理を繰り返し、１分間経過すると（Ｓ１４において「ＹＥＳ」）、表示画面の更新を描画更新部２６に指示する。再生要求部２５からの指示に応じて、描画更新部２６は、コンテンツの描画更新処理１を行う（Ｓ１６）。
【００７７】
なお、この描画更新処理１では、図６に示すように、サブディスプレイ３の全表示領域を対象にして表示画面の更新を行う（Ｓ２１）
コンテンツの再生がすべて完了するまで、つまり、描画更新部２６がステップＳ１７において「ＮＯ」と判定している間は、再生要求部２５からの指示に応じて描画更新処理を行う。つまり、上述したステップＳ１１からステップＳ１６までの処理を繰返す。
【００７８】
以上のように、本実施の形態に係る携帯通信装置１は、コンテンツの再生開始時から所定期間（５秒間）では、１００ミリ秒に１回の更新周期でコンテンツを描画する表示画面の更新を行い、所定期間経過後は、１分に１回の更新周期でコンテンツを描画する表示画面の更新を行うことができる。このように、所定期間（５秒）経過後では設定されているフレームレートを変更し、更新周期の間隔を大きくすることができるため、常時設定されたフレームレートで表示画面の更新を行う構成に比較して消費電流量を低下させることができる。
【００７９】
このように、本実施の形態係る携帯通信装置１では、コンテンツを描画する表示画面の書き換えにかかる時間を、フレームレートが大きくなるように変更することで低減させ、結果として、コンテンツの再生期間における消費電流量の低下を図ることができる。
【００８０】
ところで、上記では所定時間の経過後に、一律に表示画面の更新周期を変更させる構成であった。しかしながら、携帯通信装置１では、各月ごとにサブディスプレイ３で描画するコンテンツの内容を決めることができる。例えば、コンテンツの内容を、１月はお正月のアニメーション、１２月はクリスマスのアニメーション、４月は花畑のアニメーション等、各月の特徴を象徴するものとすることができる。このように、コンテンツを各月ごとに応じて作成し、描画する場合、１回の書き込み処理にかかる時間は各月ごとに違うものとなる。このため、コンテンツの再生に消費される電流量がそれぞれ月ごとに異なるものとなる。
【００８１】
また、携帯通信装置１は、各月ごとに再生されるコンテンツ以外にも、１分単位で時間変化を知らせる時計をサブディスプレイ３に表示する構成とすることができる。つまり図７に示すように、サブディスプレイ３においてアニメーション表示領域（第１表示画面）４０と時計表示領域（第２表示画面）４１との異なる表示画面を有するものとすることができる。
【００８２】
そこで、コンテンツを描画する表示画面の書き換え処理時間にばらつきがある場合、ならびにサブディスプレイ３上に異なる表示画面が設定されている場合を考慮し、携帯通信装置１において消費される電流量が一定となるように調整する構成とすることが好ましい。
【００８３】
以下に実施形態２として、コンテンツを描画する表示画面の書き換え処理時間にばらつきがある場合、ならびにサブディスプレイ３上に異なる表示画面が設定されている場合を考慮し、常に電流量の消費が一定となるように調整可能な携帯通信装置１の構成について説明する。
【００８４】
（実施形態２）
本発明の実施形態２について、図８から図１２に基づいて説明すると以下の通りである。図８は本発明の他の実施形態（実施形態２）を示すものであり、周期変更処理にかかる携帯通信装置１の構成を示す機能ブロック図である。
【００８５】
図８に示すように実施形態２に係る携帯通信装置１は、「周期変更処理に係る構成」として、主制御部１６４が以下の機能ブロックをさらに備え、記憶装置７に電流消費量テーブル（第１テーブル）７１および理論値７２が記憶されている点で実施形態１に係る携帯通信装置１と異なる。また、再生開始から所定時間（５秒間）経過するまでは、再生要求部２５が表示画面に対する描画更新処理１の実行を描画更新部２６に対して直接指示する。しかしながら、所定時間（５秒間）の経過後は、再生要求部２５は、表示画面に対する描画更新処理２の実行を描画更新対象判定部２７に対して指示する点でも異なる。
【００８６】
すなわち、実施形態２に係る携帯通信装置１では、主制御部１６４が、機能ブロックとしてさらに描画更新対象判定部２７、描画更新処理時間測定部（処理時間測定手段）
２８、および描画更新間隔・対象決定部（更新周期決定手段・書き換え対象決定手段）２９を備える。なお、これら３つの機能ブロックが追加される以外は、実施形態１に示す主制御部６４の構成と同様である。このため、同様な部材には同じ符号を付し、その説明については省略する。
【００８７】
描画更新対象判定部２７は、再生要求部２５から受信した書き換え指示に応じて、サブディスプレイ３において更新対象とする表示画面（表示領域の範囲）を判定するものである。具体的には、描画更新対象判定部２７は、サブディスプレイ３において全表示画面を対象に更新を行うか否か判定する。描画更新対象判定部２７は更新対象とする表示画面を判定すると、その判定した表示画面の更新を描画更新部２６に指示する。
【００８８】
描画更新処理時間測定部２８は、描画更新部２６による１回の書き換え指示に応じて実行される表示画面の更新にかかった時間を測定するものである。描画更新処理時間測定部２８は、この測定した時間を描画更新間隔・対象決定部２９に送信する。
【００８９】
描画更新間隔・対象決定部２９は、描画更新処理時間測定部２８から受信した測定結果に基づき、電流消費量テーブル７１を参照して、消費電流量が目標値となるような更新周期、ならびに次回の更新対象となる表示画面を決定するものである。
【００９０】
すなわち、描画更新間隔・対象決定部２９は更新周期を決定すると、フレームレートを規定する時間間隔変数Ｘの値を更新する。また、描画更新間隔・対象決定部２９は、更新した時間間隔変数Ｘの時間間隔を測定するように、再生間隔決定部２４に対して指示もする。この描画更新間隔・対象決定部２９からの指示に応じて、再生間隔決定部２４が時刻生成部２１から受信した時刻情報に基づき、時間間隔変数Ｘによって定められた時間間隔を測定する。そして、この測定した時間間隔を描画更新間隔・対象決定部２９に通知する。このように測定した時間間隔の通知を受信すると、描画更新間隔・対象決定部２９は、この通知とともに、更新した時間間隔変数Ｘを再生間隔切り替え部２３に送信する。
【００９１】
さらに、描画更新間隔・対象決定部２９は、描画更新処理時間測定部２８から受信した測定結果に基づき、電流消費量テーブル７１を参照して、次の表示画面に対する書き換え指示を、全表示画面に対して行うか否かについても決定している。そこで、描画更新間隔・対象決定部２９は、次の書き換え指示を行う対象を全表示画面とするのか、所定の表示画面とするのか判断するために利用する更新対象フラグを設定する。描画更新間隔・対象決定部２９は、設定した更新対象フラグも、上記時間間隔変数Ｘとともに再生間隔切り替え部２３に送信する。このように描画更新間隔・対象決定部２９から送信された時間間隔の通知、更新した時間間隔変数Ｘ、更新対象フラグを受信すると、再生間隔切り替え部２３は、表示画面に対する更新周期を時間間隔変数Ｘに応じて変更し、変更後の更新周期で再生要求部２５に更新処理の要求を行う。
【００９２】
なお、記憶装置７に記憶されている電流消費量テーブル（第１テーブル）７１は、コンテンツの描画更処理時間と、該描画更新処理時間の場合に消費される電流量との対応関係を示すテーブルである。また、理論値７２は、基準時間（Ｔ）における消費電流量の目標値を満たす、１回の書き換え指示に応じて実行される更新処理時間の値である。つまり、初期設定された更新周期により、この理論値７２として設定されている更新処理時間で書き換えを基準時間（Ｔ）の間行った場合に消費される消費電流量が目標値となる。
【００９３】
ここで、描画更新間隔・対象決定部２９による更新周期および更新対象とする表示画面の決定処理について図９から図１０を参照にして詳細に説明する。
【００９４】
図９および図１０は、本発明の他の実施形態を示すものであり、縦軸を更新処理にかかる時間、横軸にコンテンツの連続再生時間とし、全画面に対する更新処理の更新処理時間、一部分の表示画面に対する更新処理にかかる時間をそれぞれ棒グラフで示した図である。全画面に対する更新処理の更新処理時間は、塗りつぶした棒グラフによって、一部分の表示画面に対する更新処理にかかる時間は、斜線が入った棒グラフによって示される。
【００９５】
なお、これらの図において、横軸に示される基本時間（Ｔ）とは、コンテンツの連続再生が要求される期間である。この基本時間（Ｔ）の間に消費される電流量に対して目標値が設定されている。また、基本時間（Ｔ）と消費が許容される電流量（目標値）との関係から、この目標値を満たす更新処理時間の理論値７２が決定される。
【００９６】
図９に示すように、全表示画面に対する更新処理の処理時間が上記理論値７２を上回るものとする。なお、この上回った値を超過値αとする。一方、一部分の表示画面に対する更新処理の処理時間が、上記理論値７２より小さくなるとする。なお、一部分の表示画面に対する更新処理の処理時間と上記理論値との差を差分βとする。
【００９７】
この場合、上記超過値αと、差分β・・・の合計とが一致するまで一部分の表示画面に対する更新処理を行うことでコンテンツの再生にかかる電流量を目標値とすることができる。つまり、超過値αの値を、差分β・・・によって穴埋めすることで目標値を達成することができるのである。より具体的には、上記穴埋めによって、基本時間（Ｔ）における１分間当たりの平均更新処理時間が理論値となるように調整する。
【００９８】
そこで、描画更新間隔・対象決定部２９は、全表示画面に対する更新周期（後述する時間間隔変数Ｘａ）、一部分の表示画面に対する更新周期（後述する時間間隔変数Ｘｂ）をそれぞれ以下のように決定できる。すなわち、一部分の表示画面に対する更新周期は、初期設定されている更新周期であり、全画面の表示画面に対する更新周期は、一部分の表示画面に対する更新処理の実行回数から求められる。また、一部分の表示画面に対する更新処理を実行する回数が決まると、次回の更新処理は全表示画面に対して更新処理を行うのか否かを決定することもできる。
【００９９】
このようにして描画更新間隔・対象決定部２９は、全表示画面に対する更新周期、一部分の表示画面に対する更新周期、次回の更新処理対象を決定することができる。
【０１００】
しかしながら、上記では一部分の表示画面に対する更新周期を初期設定されている更新周期としていたがこれに限定されるものではない。特に、以下のような場合が想定されるため、一部分の表示画面に対する更新周期も動的に変更する構成であるほうが好ましい。すなわち、一部分の表示画面に対する更新処理の処理時間が上記理論値７２を上回る場合、もしくは一部分の表示画面に対する更新処理の処理時間と上記理論値７２との差分βが非常に小さい場合が想定できる。前者の場合では、いくら一部分の表示画面に対する更新処理を繰り返し行ったとしても全表示画面に対する更新処理の処理時間による超過値αの穴埋めをすることができない。一方、後者の場合は、全画面表示の更新周期が非常に大きくなってしまう。
【０１０１】
そこで、描画更新間隔・対象決定部２９が、全表示画面に対する更新の周期（後述する時間間隔変数Ｘａ）のみならず、一部分の表示画面に対する更新の周期（後述する時間間隔変数Ｘｂ）も図１０に示すように変更するように決定する構成の方が好ましい。すなわち、一部分の表示画面に対する更新処理にかかる処理時間と上記理論値７２との間の差分β、ならびに全表示画面および一部分の表示画面に対する更新処理それぞれをともに実行しない期間γとによって、全表示画面に対する更新処理の処理時間による超過値αの穴埋めをする。なお、上記期間γは、一部分の表示画面に対する更新周期と一致する。ただし、この一部分の表示画面が、１分単位で時間を示す時計表示の表示画面である場合、この時計表示の表示画面は少なくとも１分に１回は更新する必要がある。したがって、この一部分の表示画面が、時計表示の表示画面である場合、上記期間γは１分より大きくならない範囲で設定する必要がある。
【０１０２】
次に上記した構成を有する携帯通信装置１の「周期変更処理に係る処理フロー」について、図１１を参照して説明する。なお、図１１は他の実施形態（実施形態２）に係る携帯通信装置１における周期変更処理の処理フローの一例を示すフローチャートである。
【０１０３】
まず、前提として携帯通信装置１において、書き換え周期を規定する時間間隔を設定するための時間間隔変数Ｘと、更新対象が全表示領域であるのか、所定の表示領域であるのか判断するために利用する更新対象フラグとが設けられているものとする。これら時間間隔変数Ｘ、および更新対象フラグは、特に図示しないが、例えば記憶装置７に記録されている。
【０１０４】
また、サブディスプレイ３には、図７に示すように、アニメーション表示領域４０と時計表示領域４１との異なる表示を行う２つの表示画面が設定されているものとする。そして、アニメーション表示領域４０におけるコンテンツの書き換え周期を時間間隔変数Ｘａ、時計表示領域４１におけるコンテンツの書き換え周期を時間間隔変数Ｘｂとする。
【０１０５】
また、所定時間（再生開始から５秒）の間では、サブディスプレイ３における全画面、すなわち、全表示領域に対して１００ミリ秒ごとに書き換えが行われるように構成されているものとする。
【０１０６】
まず、上述した図５に示す周期変更処理に係る処理フローと同様に、携帯通信装置１における蓋部１００が本体部１０２に向かって折りたたまれ、蓋部１００と本体部１０２とが重なり合った状態になると、サブディスプレイ３において所定のコンテンツの再生が開始される（ステップＳ３１）。なお、コンテンツの再生が開始される際、時間間隔変数Ｘａ・Ｘｂと更新対象フラグとに設定されている値は初期化される（Ｓ３２）。
【０１０７】
なお、この初期化において、時間間隔変数Ｘａ・Ｘｂは、再生開始から５秒間までの間では１００ミリ秒ごとの時間間隔が、５秒以降では１分ごとの時間間隔が初期値として設定される。また、更新対象フラグは、全画面表示を示すフラグが設定されている。
【０１０８】
このようにコンテンツの再生が開始されると、時刻生成部２１がタイマ８から時刻情報を取得する（Ｓ３３）。なお、このステップＳ３３からステップＳ３６までの処理は、図５に示す処理フローと同様となる。このため、ステップＳ３３からＳ３６の処理についての説明は省略する。
【０１０９】
ステップＳ３５において「ＹＥＳ」の場合、再生要求部２５は、コンテンツの書き換え、すなわちコンテンツの描画更新処理２を描画更新対象判定部２７に指示する。再生要求部２５からの指示に応じて、描画更新対象判定部２７、描画更新部２６、描画更新処理時間測定部２８、および描画更新間隔・対象決定部２９によって、コンテンツの描画更新処理２が実行される（Ｓ３７）。なお、この描画更新処理２の詳細については後述する。
【０１１０】
また、ステップＳ３６において「ＹＥＳ」の場合は、再生要求部２５は、コンテンツの書き換えを描画更新部２６に指示し、描画更新処理１を実行させる。描画更新部２６は、再生要求部２５からの指示に応じて描画更新処理１を実行する（Ｓ３８）。なお、描画更新処理１については実施形態１に係る携帯通信装置１の「周期変更処理に係る処理フロー」において説明したため、その詳細についてはここでは省略する。
【０１１１】
上記したステップＳ３１からＳ３８までの処理を、コンテンツの再生がすべて完了するまで繰返す。つまり、描画更新部２６がステップＳ３９において「ＮＯ」と判定している間であって、再生開始から５秒経過するまでは、再生要求部２５からの指示に応じて描画更新部２６が描画更新処理１を行う。一方、描画更新部２６がステップＳ３９において「ＮＯ」と判定している間であって、再生開始から５秒経過後では、再生要求部２５からの指示に応じて、描画更新対象判定部２７、描画更新部２６、描画更新処理時間測定部２８、および描画更新間隔・対象決定部２９が描画更新処理２を行う。
【０１１２】
ここで、描画更新処理２についてその詳細を、図１２を参照して説明する。図１２は、本発明の他の実施形態（実施形態２）を示すものであり、描画更新処理２の処理フローの一例を示すフローチャートである。
【０１１３】
再生要求部２５からコンテンツの書き換え指示を受信すると、描画更新対象判定部２７は、まず、設定されている更新対象フラグを確認し、全表示画面の書き換えを行うか否か判定する（Ｓ４１）。初期値では、全表示画面に対する書き換えを示すフラグが立っているため、ここでの判定は、「ＹＥＳ」となる。
【０１１４】
ここで、描画更新対象判定部２７が、全表示画面を更新対象とすると判定した場合（Ｓ４１において「ＹＥＳ」）、その判定結果を描画更新部２６に送信する。描画更新部２６は、描画更新対象判定部２７から更新対象に関する判定結果を受信すると、再生間隔切り替え部２３によって設定されている更新間隔（すなわち、時間間隔変数Ｘとして設定されている時間間隔）の経過を確認する。ここでは、全表示画面が更新対象であるため、時間間隔変数Ｘａとして設定されている時間間隔の経過を確認する（Ｓ４２）。ここで、描画更新部２６は、時間間隔変数Ｘａとして設定されている時間を経過してないと判定した場合（Ｓ４２において「ＮＯ」）、描画更新処理２を行わずリターンに進む。つまり、時間間隔変数Ｘａとして設定された時間が経過するまでは描画更新処理２を実行しない。
【０１１５】
一方、ステップＳ４２において「ＹＥＳ」の場合、描画更新部２６は、描画更新対象判定部２７から受信した更新対象の判定結果に応じて、サブディスプレイ３における全表示画面の更新を行う。すなわち、描画更新部２６は、サブディスプレイ３の全表示画面に対する書き換えを表示制御部６１に指示する（Ｓ４４）。
【０１１６】
また、描画更新部２６は、表示画面に対する書き換えを指示する際、その旨を描画更新処理時間測定部２８にも送信する。描画更新処理時間測定部２８は、描画更新部２６からの指示の受信時を始点として、表示画面に対する更新が完了するまでの時間を測定する。なお、描画更新部２６は、表示画面に対する更新が完了した際、この完了した旨の情報を描画更新処理時間測定部２８に送信するようになっている。このため、描画更新処理時間測定部２８は、描画更新部２６から表示画面に対する書き換え指示を受信した時点の時刻情報と、更新が完了した旨の情報を受信した時点の時刻情報とをそれぞれタイマ８から取得する。そして、表示画面に対する更新にかかった時間を測定する（Ｓ４６）。このようにして、描画更新処理時間測定部２８は、描画更新部２６からの１回の書き換え指示に応じて実行された表示画面に対する更新にかかった時間を測定する。そして、描画更新処理時間測定部２８は、この測定時間を描画更新間隔・対象決定部２９に送信する。
【０１１７】
描画更新間隔・対象決定部２９は、描画更新処理時間測定部２８から上記測定時間を受信すると、電流消費量テーブル７１および理論値７２を参照してサブディスプレイ３における各表示画面に対する更新周期を決定する。すなわち、時間間隔変数Ｘａ、Ｘｂそれぞれの値を決定する。また、描画更新間隔・対象決定部２９は、次回の更新対象を全表示画面とするか、あるいは一部の表示画面とするか、更新対象フラグを設定する。すなわち、描画更新間隔・対象決定部２９は、電流消費量テーブル７１および理論値７２に基づき、次回の更新周期および更新対象を決定し（Ｓ４７）、時間間隔変数Ｘａ・Ｘｂ、ならびに更新対象フラグの更新を行う（Ｓ４８）。
【０１１８】
以上のようにして、１回の書き換え指示応じたコンテンツの更新処理にかかる時間に応じて時間間隔変数Ｘａ、Ｘｂ、ならびに更新対象フラグが更新されると、次回以降の描画更新処理２は、更新後の時間変数Ｘａ、Ｘｂ、ならびに更新対象フラグに基づいて実行される。
【０１１９】
次に、更新後の時間間隔変数Ｘａ・Ｘｂと更新対象フラグとに基づき行われる描画更新処理２について説明する。なお、更新後の更新対象フラグでは、更新対象を一部の表示画面とするように設定されているものとして説明する。
【０１２０】
まず、描画更新間隔・対象決定部２９によって更新された、時間間隔変数Ｘａ・Ｘｂ、ならびに更新対象フラグは、再生間隔切り替え部２３が受信する。そして、再生間隔切り替え部２３は、表示画面に対する更新周期を時間間隔変数Ｘ（時間間隔変数Ｘａ・Ｘｂ）に応じて変更し、変更後の更新周期で再生要求部２５に更新処理の要求を行う。
【０１２１】
再生要求部２５は、再生間隔切り替え部２３からの更新処理の要求に応じて、表示画面に対する更新を描画更新対象判定部２７に対して指示する。再生要求部２５からコンテンツの書き換え指示を受信すると、描画更新対象判定部２７は、設定されている更新対象フラグを確認し、全表示画面の書き換えを行うか否か判定する（Ｓ４１）。更新後の更新対象フラグでは、一部の表示画面に対する書き換えを示すフラグが立っているため、ここでの判定は、「ＮＯ」となる。
【０１２２】
ここで、描画更新対象判定部２７が、一部の表示画面を更新対象とすると判定すると、その判定結果を描画更新部２６に送信する。描画更新部２６は、描画更新対象判定部２７から更新対象に関する判定結果を受信すると、時間間隔変数Ｘとして設定されている時間間隔の経過を確認する。ここでは、一部の表示画面が更新対象であるため、時間間隔変数Ｘｂとして設定されている時間の経過を確認する（Ｓ４３）。ここで、描画更新部２６は、時間間隔変数Ｘｂとして設定されている時間を経過してないと判定した場合（Ｓ４３において「ＮＯ」）、描画更新処理２を行わずリターンに進む。つまり、時間間隔変数Ｘｂとして設定された時間が経過するまでは描画更新処理２を実行しない。
【０１２３】
一方、ステップＳ４３において「ＹＥＳ」の場合、描画更新部２６は、描画更新対象判定部２７から受信した更新対象の判定結果に応じて、サブディスプレイ３における一部の表示画面の更新を行う。すなわち、描画更新部２６は、サブディスプレイ３の一部の表示画面に対する書き換えを表示制御部６１に指示する（Ｓ４５）。これ以降のステップＳ４６からステップＳ４８までの処理については上記で既に説明しているため省略する。
【０１２４】
以上のようにして、本実施の形態（実施形態２）にかかる携帯通信装置１では、更新周期と更新対象とを変更することで、基本時間（Ｔ）における１分間当たりの平均更新処理時間が理論値となるように調整することができる。すなわち、コンテンツの再生において消費される電流量を目標値まで低減させることができる。
【０１２５】
なお、上記では、基本時間（Ｔ）の間に消費される電流量に対して目標値が設定し、消費電流量が該目標値となるように更新周期および更新対象を変更する構成であった。上記では目標値に対して、更新処理時間の理論値が設定されており、この理論値を固定値としている。しかしながら、上述のように固定値ではなく、主電源４における電池残量の変化に応じて、動的にこの理論値を変更させる構成としてもよい。
【０１２６】
以下において、実施形態３として、主電源４における電池残量の変化に応じて、目標値を満たすための理論値を動的に変更させ、更新周期および更新対象を決定する構成について説明する。
【０１２７】
（実施形態３）
本発明の実施形態３について、図１３から図１５に基づいて説明すると以下の通りである。図１３は本発明の他の実施形態（実施形態３）を示すものであり、周期変更処理にかかる携帯通信装置の構成を示す機能ブロック図である。
【０１２８】
図１３に示すように実施形態３に係る携帯通信装置１は、「周期変更処理に係る構成」として、主制御部２６４が以下の機能ブロックをさらに備え、記憶装置７に電流消費量テーブル７１および目標値設定用テーブル（第２テーブル）７３が記憶されている点で実施形態１に係る携帯通信装置１と異なる。
【０１２９】
また、再生開始から所定時間（５秒間）経過するまでは、再生要求部２５が表示画面に対する描画更新処理１の実行を描画更新部２６に対して直接指示する。しかしながら、所定時間（５秒間）の経過後は、再生要求部２５は、表示画面に対する描画更新処理３の実行を描画更新対象判定部２７に対して指示する点でも異なる。
【０１３０】
また、後述するが描画更新間隔・対象決定部２９が、電流消費量テーブル７１と、目標値変更部３１から受信した変更後の目標値とに基づき、更新周期および更新対象を決定する点でも異なる。
【０１３１】
すなわち、実施形態３に係る携帯通信装置１では、主制御部２６４が、機能ブロックとしてさらに描画更新対象判定部２７、描画更新処理時間測定部２８、描画更新間隔・対象決定部２９、電池残量測定部（残量測定手段）３０、および目標値変更部（目標値設定手段）３１を備える。なお、これら５つの機能ブロックが追加される以外は、実施形態１に示す主制御部６４の構成と同様である。また、この５つの機能ブロックのうち電池残量測定部３０および目標値変更部３１以外の部材ついては、実施形態２が備える部材と同様である。このため、既に説明した同様な部材には同じ符号を付し、その説明についてはここでは省略する。また、記憶装置７では、実施形態２において記憶していた理論値７２に代わりに目標値設定用テーブル７３を記憶している。したがって、記憶装置７が記憶する情報のうち、目標値設定用テーブル７３のみ説明を行い、電流消費量テーブル７１の説明については省略する。
【０１３２】
目標値設定用テーブル７３は、電池残量に応じた目標値を求めるために利用する情報であり、主電源４における電池残量と、該電池残量時での消費が許容される電流量（目標値）との対応関係を示す。
【０１３３】
電池残量測定部３０は、電源制御部６２を介して、主電源４における電池残量を測定するものである。サブディスプレイ３におけるコンテンツの再生開始をトリガにして、この電池残量が測定される。電池残量測定部３０は、測定した結果を目標値変更部３１に送信する。
【０１３４】
目標値変更部３１は、電池残量測定部３０から送信された測定結果と、記憶装置７に格納されている目標値設定用テーブル７３とに基づき、現在の電池残量に応じた目標値を求め、現在設定されている目標値を変更するものである。
【０１３５】
描画更新間隔・対象決定部２９は、再生間隔決定部２４および時刻生成部２１を経由してタイマ８から、コンテンツの再生開始からの経過時間を取得しており、目標値変更部３１から取得した変更後の目標値と残りの再生期間とから理論値７２を算出する。また、描画更新間隔・対象決定部２９は、描画更新処理時間測定部２８によって測定された更新処理時間、電流消費量テーブル７１、および理論値７２に基づき、更新周期と更新対象とを決定する。すなわち、描画更新間隔・対象決定部２９は、時間間隔変数Ｘａ・Ｘｂ、更新対象フラグに設定する値を決定する。
【０１３６】
上記した構成を有する実施形態３に係る携帯通信装置１による「周期変更処理に係る処理フロー」について、図１４および図１５を参照して説明する。なお、図１４は他の実施形態（実施形態３）に係る携帯通信装置１における周期変更処理の処理フローの一例を示すフローチャートである。
【０１３７】
まず、前提として実施形態２に係る携帯通信装置１と同様に、時間間隔変数Ｘと更新対象フラグとが設けられているものとする。これら時間間隔変数Ｘ、および更新対象フラグは、特に図示しないが、例えば記憶装置７に記録されている。
【０１３８】
また、サブディスプレイ３には、実施形態２に係る携帯通信装置１と同様に、アニメーション表示領域４０と時計表示領域４１との異なる表示を行う２つの表示画面が設定されているものとする。そして、アニメーション表示領域４０におけるコンテンツの書き換え周期を時間間隔変数Ｘａ、時計表示領域４１におけるコンテンツの書き換え周期を時間間隔変数Ｘｂとする。
【０１３９】
また、所定時間（再生開始から５秒）の間では、サブディスプレイ３における全画面、すなわち、全表示領域におけるコンテンツそれぞれに対して同じ書き換え周期、つまり１００ミリ秒ごとに書き換えが行われるように構成されているものとする。
【０１４０】
まず、上述した図５または図１１に示す周期変更処理に係る処理フローと同様に、携帯通信装置１における蓋部１００が本体部１０２に向かって折りたたまれ、蓋部１００と本体部１０２とが重なり合った状態になると、サブディスプレイ３において所定のコンテンツの再生が開始される（ステップＳ５１）。なお、コンテンツの再生が開始される際、実施形態２と同様に、時間間隔変数Ｘａ・Ｘｂと更新対象フラグとに設定されている値は初期化される（Ｓ５２）。
【０１４１】
このようにコンテンツの再生が開始されると、時刻生成部２１がタイマ８から時刻情報を取得する（Ｓ５３）。なお、このステップＳ５３からステップＳ５６までの処理は、図５または図１１に示す処理フローと同様となる。このため、ステップＳ５３からＳ５６の処理についての説明は省略する。
【０１４２】
ステップＳ５５において「ＹＥＳ」の場合、再生要求部２５は、コンテンツの書き換え、すなわちコンテンツの描画更新処理３を描画更新対象判定部２７に指示する。再生要求部２５からの指示に応じて、描画更新対象判定部２７、描画更新部２６、描画更新処理時間測定部２８、描画更新間隔・対象決定部２９、電池残量測定部３０、および目標値変更部３１によって、コンテンツの描画更新処理３が実行される（Ｓ５７）。なお、この描画更新処理３の詳細については後述する。
【０１４３】
また、ステップＳ５６において「ＹＥＳ」の場合は、再生要求部２５は、コンテンツの書き換えを描画更新部２６に指示し、描画更新処理１を実行させる。描画更新部２６は、再生要求部２５からの指示に応じて描画更新処理１を実行する（５３８）。なお、描画更新処理１については実施形態１に係る携帯通信装置１の「周期変更処理に係る処理フロー」において説明したため、その詳細についてはここでは省略する。
【０１４４】
上記したステップＳ５１からＳ５８までの処理を、コンテンツの再生がすべて完了するまで繰返す。つまり、描画更新部２６がステップＳ５９において「ＮＯ」と判定している間であって、再生開始から５秒経過するまでは、再生要求部２５からの指示に応じて描画更新部２６が描画更新処理１を行う。一方、描画更新部２６がステップＳ５９において「ＮＯ」と判定している間であって、再生開始から５秒経過後では、再生要求部２５からの指示に応じて、描画更新対象判定部２７、描画更新部２６、描画更新処理時間測定部２８、描画更新間隔・対象決定部２９、電池残量測定部３０、および目標値変更部３１が描画更新処理３を行う。
【０１４５】
ここで、描画更新処理３についてその詳細を、図１５を参照して説明する。図１５は、本発明の他の実施形態（実施形態３）を示すものであり、描画更新処理３の処理フローの一例を示すフローチャートである。
【０１４６】
再生要求部２５からコンテンツの書き換え指示を受信すると、描画更新対象判定部２７は、まず、設定されている更新対象フラグを確認し、全表示画面の書き換えを行うか否か判定する（Ｓ６１）。実施形態２と同様に初期値では、全表示画面に対する書き換えを示すフラグが立っているため、ここでの判定は、「ＹＥＳ」となる。
【０１４７】
ここで、描画更新対象判定部２７が、全表示画面を更新対象とすると判定した場合（Ｓ６１において「ＹＥＳ」）、その判定結果を描画更新部２６に送信する。描画更新部２６は、描画更新対象判定部２７から更新対象に関する判定結果を受信すると、再生間隔切り替え部２３によって設定されている更新間隔（すなわち、時間間隔変数Ｘとして設定されている時間間隔）の経過を確認する。ここでは、全表示画面が更新対象であるため、時間間隔変数Ｘａとして設定されている時間間隔の経過を確認する（Ｓ６２）。ここで、描画更新部２６は、時間間隔変数Ｘａとして設定されている時間を経過してないと判定した場合（Ｓ６２において「ＮＯ」）、描画更新処理３を行わずリターンに進む。つまり、時間間隔変数Ｘａとして設定された時間が経過するまでは描画更新処理３を実行しない。
【０１４８】
一方、ステップＳ６２において「ＹＥＳ」の場合、描画更新部２６は、描画更新対象判定部２７から受信した更新対象の判定結果に応じて、サブディスプレイ３における全表示画面の更新を行う。（Ｓ６４）。またこのとき、実施形態２と同様にして、描画更新処理時間測定部２８は、表示画面に対する更新にかかった時間を測定する（Ｓ６６）。そして、描画更新処理時間測定部２８は、この測定時間を描画更新間隔・対象決定部２９に送信する。
【０１４９】
描画更新間隔・対象決定部２９は、描画更新処理時間測定部２８から上記測定時間を受信すると、目標値変更部３１に対して、現在の電池残量に応じた目標値を要求する。目標値変更部３１は、描画更新間隔・対象決定部２９からの要求に応じて、電池残量測定部３０から電池残量の測定結果を取得する。そして、目標値変更部３１は、取得した電池残量に基づき、目標値設定用テーブル７３を参照して、この電池残量に応じた目標値を求める。そして、求めた理論値７２を描画更新間隔・対象決定部２９に送信する。このようにして、描画更新間隔・対象決定部２９は、変更後の目標値を取得する（Ｓ６７）。
【０１５０】
描画更新間隔・対象決定部２９は、目標値変更部３１から取得した目標値と、コンテンツの残りの再生期間とから理論値７２を求める。そして、描画更新間隔・対象決定部２９は、描画更新処理時間測定部２８から受信した測定時間と、算出した理論値７２と、電流消費量テーブル７１とに基づき、サブディスプレイ３における各表示画面に対する更新周期を決定する。すなわち、時間間隔変数Ｘａ、Ｘｂそれぞれの値を決定する。また、描画更新間隔・対象決定部２９は、次回の更新対象を全表示画面とするか、あるいは一部の表示画面とするか、更新対象フラグを設定する。すなわち、描画更新間隔・対象決定部２９は、次回の更新周期および更新対象を決定し（Ｓ６８）、時間間隔変数Ｘａ・Ｘｂ、ならびに更新対象フラグの更新を行う（Ｓ６９）。
【０１５１】
以上のようにして、１回の書き換え指示応じたコンテンツの更新処理にかかる時間、現時点での電池残量に応じて時間間隔変数Ｘａ、Ｘｂ、ならびに更新対象フラグが更新されると、次回以降の描画更新処理３は、更新後の時間変数Ｘａ、Ｘｂ、ならびに更新対象フラグに基づいて実行される。
【０１５２】
次に、更新後の時間間隔変数Ｘａ・Ｘｂと更新対象フラグとに基づき行われる描画更新処理３について説明する。なお、更新後の更新対象フラグは、更新対象を一部の表示画面とするように設定されているものとして説明する。
【０１５３】
まず、描画更新間隔・対象決定部２９によって更新された、時間間隔変数Ｘａ・Ｘｂ、ならびに更新対象フラグは、再生間隔切り替え部２３が受信する。そして、再生間隔切り替え部２３は、表示画面に対する更新周期を時間間隔変数Ｘ（時間間隔変数Ｘａ・Ｘｂ）に応じて変更し、変更後の更新周期で再生要求部２５に更新処理の要求を行う。
【０１５４】
再生要求部２５は、再生間隔切り替え部２３からの更新処理の要求に応じて、表示画面に対する更新を描画更新対象判定部２７に対して指示する。再生要求部２５からコンテンツの書き換え指示を受信すると、描画更新対象判定部２７は、設定されている更新対象フラグを確認し、全表示画面の書き換えを行うか否か判定する（Ｓ６１）。更新後の更新対象フラグでは、一部の表示画面に対する書き換えを示すフラグが立っているため、ここでの判定は、「ＮＯ」となる。
【０１５５】
ここで、描画更新対象判定部２７が、一部の表示画面を更新対象とすると判定すると、その判定結果を描画更新部２６に送信する。描画更新部２６は、描画更新対象判定部２７から更新対象に関する判定結果を受信すると、時間間隔変数Ｘとして設定されている時間間隔の経過を確認する。ここでは、一部の表示画面が更新対象であるため、時間間隔変数Ｘｂとして設定されている時間の経過を確認する（Ｓ６３）。ここで、描画更新部２６は、時間間隔変数Ｘｂとして設定されている時間を経過してないと判定した場合（Ｓ６３において「ＮＯ」）、描画更新処理２を行わずリターンに進む。つまり、時間間隔変数Ｘｂとして設定された時間が経過するまでは描画更新処理３を実行しない。
【０１５６】
一方、ステップＳ６３において「ＹＥＳ」の場合、描画更新部２６は、描画更新対象判定部２７から受信した更新対象の判定結果に応じて、サブディスプレイ３における一部の表示画面の更新を行う。すなわち、描画更新部２６は、サブディスプレイ３の一部の表示画面に対する書き換えを表示制御部６１に指示する（Ｓ６５）。これ以降のステップＳ６６からステップＳ６８までの処理については上記で既に説明しているため省略する。
【０１５７】
なお、目標値変更部３１による理論値７２の変更は、表示画面に対する更新を行うたびに、その時点での電池残量に基づき行われる構成であってもよい。あるいは、所定の割合だけ電池残量が小さくなると、この小さくなった電池残量に応じた理論値７２を求め、理論値７２を変更させる構成であってもよい。
【０１５８】
以上のようにして、本実施の形態（実施形態３）にかかる携帯通信装置１では、電池残量に応じて更新周期と更新対象とを変更することができる。このため、基本時間（Ｔ）の間、連続してコンテンツが再生できるように、電池残量に応じて消費電流量の調整を行うことができる。すなわち、コンテンツの再生において消費される電流量を結果的には目標値にまで低減させることができる。
【０１５９】
また、上記した実施形態１から３では、コンテンツの再生開始から５秒経過するまでは１００ミリ秒の更新周期とし、５秒経過後では１分の更新周期とする構成であった。しかしながら、更新周期の切り替えを行う所定期間は上記５秒に限定されるものではない。例えば、一連のアニメーションとして完結するコンテンツが繰り返し再生される構成の場合、所定時間ではなくコンテンツの再生が１回終了した後、２回目以降の再生では、その更新周期を変更する構成としてもよい。
【０１６０】
また、実施形態２および実施形態３に係る携帯通信装置１では、コンテンツの再生開始から所定時間の経過で更新周期を変更することなく、初めは初期値で設定された更新周期で表示画面の書き換えを行い、次の書き換えからは描画更新間隔・対象決定部２９によって決定された更新周期で表示画面の書き換えが行われる構成としてもよい。このように構成される場合、主制御部１６４および主制御部２６４はそれぞれ、再生時間判定部２２および再生間隔切り替え部２３をそれぞれ省略することができる。
【０１６１】
なお、上記した実施形態２および３に係る携帯通信装置１では、１回の書き換え指示に応じて実行する表示画面の更新処理時間に応じて更新周期を変更するとともに、全表示画面を描画対象とするか否かも併せて判定する構成であった。しかしながらこれに限定されるものではなく、例えば、複数の表示画面が設定されていない場合、あるいは特定の表示画面のみ更新が必要な場合等では、全表示画面を描画対象とするか否かの判定を行わない構成であってもよい。このように構成される場合、主制御部１６４または主制御部２６４が備える機能ブロックのうち、描画更新対象判定部２７を省くことができる。
【０１６２】
最後に、携帯通信装置１の各ブロック、特に主制御部６４、主制御部１６４、および主制御部２６４が備える各機能ブロックは、ハードウェアロジックによって構成してもよいし、次のようにＣＰＵを用いてソフトウェアによって実現してもよい。
【０１６３】
例えば、携帯通信装置１は、上記主制御部６４、１６４、および２６４をＣＰＵによって実現する場合、該ＣＰＵが不図示のＲＯＭ等に記録された制御プログラムを不図示のＲＡＭ等に読み出して実行することにより、上記機能ブロックは実現できる。
【０１６４】
また、上記した機能ブロックを実現する制御プログラムのプログラムコードをコンピュータで読み取り可能に記録した記録媒体を、上記携帯通信装置１に供給し、ＣＰＵがこの記録媒体に記録されているプログラムコードを読み出し実行してもよい。
【０１６５】
また、携帯通信装置１を通信ネットワークと接続可能に構成し、上記制御プログラムのプログラムコードを、通信ネットワークを介して供給する。そして、ＣＰＵがこの供給されたプログラムコードを読み出し実行してもよい。なお、本発明は、上記プログラムコードが電子的な伝送で具現化された、搬送波に埋め込まれたコンピュータデータ信号の形態でも実現され得る。
【０１６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６７】
本発明は、コンテンツを再生するために、フレームレートに応じて表示画面の書き換えを行う装置において、コンテンツの再生に係る消費電流量を低減させる必要がある場合に広く利用することができる。
【符号の説明】
【０１６８】
１  携帯通信装置（表示処理装置）
３  サブディスプレイ（表示部）
４  主電源（電源部）
７  記憶装置
８  タイマ（測定部）
２２  再生時間判定部（判定部）
２３  再生間隔切り替え部（更新周期変更手段）
２６  描画更新部（更新手段）
２７  描画更新対象判定部
２８  描画更新処理時間測定部（処理時間測定手段）
２９  描画更新間隔・対象決定部（更新周期決定手段・書き換え対象決定手段）
３０  電池残量測定部（残量測定手段）
３１  目標値変更部（目標値設定手段）
４０  アニメーション表示領域（第１表示画面）
４１  時計表示領域（第２表示画面）
６１  表示制御部（更新手段）
６２  電源制御部
６４  主制御部
７１  電流消費量テーブル（第１テーブル）
７２  理論値
７３  目標値設定用テーブル（第２テーブル）
１６４  主制御部
２６４  主制御部
【図１】
2010266807.tif 000003
【図２】
2010266807.tif 000004
【図３】
2010266807.tif 000005
【図４】
2010266807.tif 000006
【図５】
2010266807.tif 000007
【図６】
2010266807.tif 000008
【図７】
2010266807.tif 000009
【図８】
2010266807.tif 000010
【図９】
2010266807.tif 000011
【図１０】
2010266807.tif 000012
【図１１】
2010266807.tif 000013
【図１２】
2010266807.tif 000014
【図１３】
2010266807.tif 000015
【図１４】
2010266807.tif 000016
【図１５】
2010266807.tif 000017